(57)【要約】【課題】新たに防雨板や防滴部材等を追加せずに、防水性能の向上を図ったヒートポンプ式熱源機を提供すること、施工時や搬送時の安全性の向上を図ったヒートポンプ式熱源機を提供することである。【解決手段】ヒートポンプ式熱源機３は、可燃性冷媒を使用し且つ外装ケース２５内に蒸発器用ファン１９と可燃性冷媒の漏洩を検知するガスセンサ４８とを有し、ガスセンサ４８により可燃性冷媒の漏洩を検知した場合に、蒸発器用ファン１９を駆動して外装ケース２５に設けられた開口部５１から外気を取り込んで漏洩した可燃性冷媒を拡散させるものであって、外装ケース２５の側面に、外部からの配管が接続される配管接続部５０を覆う配管カバー５２が取り付けられ、この配管カバー５２の内側において、開口部５１が外装ケース２５に設けられている。【選択図】  図３
2014006016.tif 000002
【特許請求の範囲】
【請求項１】
可燃性冷媒を使用し且つ外装ケース内に蒸発器用ファンと前記可燃性冷媒の漏洩を検知するガスセンサとを有するヒートポンプ式熱源機であって、前記ガスセンサにより前記可燃性冷媒の漏洩を検知した場合に、前記蒸発器用ファンを駆動して前記外装ケースに設けられた開口部から外気を取り込んで漏洩した前記可燃性冷媒を拡散させるヒートポンプ式熱源機において、
前記外装ケースの側面に、外部からの配管が接続される配管接続部を覆う配管カバーが取り付けられ、この配管カバーの内側において、前記開口部が前記外装ケースに設けられたことを特徴とするヒートポンプ式熱源機。
【請求項２】
前記開口部は、前記配管接続部よりも下方に設けられたことを特徴とする請求項１に記載のヒートポンプ式熱源機。
【請求項３】
前記開口部は、前記外装ケースの内方に向けて切り起された複数の切起し片を介して形成された複数の水平なスリットで構成されたことを特徴とする請求項１又は２に記載のヒートポンプ式熱源機。
【発明の詳細な説明】
【技術分野】
【０００１】
本発明はヒートポンプ式熱源機に関し、特に送風ファンを駆動して外装ケース内に外気を取り込む場合に、換気用開口部から雨水や埃などの進入を極力防止可能なヒートポンプ式熱源機に関する。
【背景技術】
【０００２】
従来、貯湯式給湯装置として、貯湯式のヒートポンプ式給湯装置が実用に供されている。この種のヒートポンプ式給湯装置は、温水を貯留する大容量の貯湯タンクと、外装ケースに収容されたヒートポンプ回路を有するヒートポンプ式熱源機とを備え、夜間割引の安価な電力を利用して、貯湯タンク内の湯水を循環させてヒートポンプ式熱源機で加熱して、その加熱された湯水を貯湯タンクに貯留しておき、蛇口や風呂などの所望の給湯先に給湯するものである。
【０００３】
上記のヒートポンプ式熱源機において、圧縮機、凝縮器、膨張器、蒸発器が冷媒配管を介して接続されてヒートポンプ回路が構成され、冷媒配管に封入された可燃性冷媒を利用して給湯加熱運転が行われる。この給湯加熱運転では、圧縮機と蒸発器用の送風ファンが駆動され、凝縮器により冷媒と湯水との間で熱交換が行われて湯水が加熱される。
【０００４】
ところで、ヒートポンプ式熱源機に限らず空調装置や冷蔵庫などの冷媒として可燃性冷媒（例えば、炭化水素系の冷媒）を使用する機器において、可燃性冷媒の使用にあたっては安全性を確保するために、漏洩した可燃性冷媒を検知可能なガスセンサが搭載されている。ガスセンサが可燃性冷媒の漏洩を検知した場合には、送風ファンを駆動して外装ケース内に外気を取り込んで漏洩した可燃性冷媒を拡散させる。
【０００５】
一般的に、外装ケース内に外気を取り込んで可燃性冷媒を拡散させるために、外装ケースには熱交換用の開口部以外にも換気用の開口部が設けられている。例えば、特許文献１の空気調和機では、各種機器を収容した外装ケースを備え、この外装ケースの内部を仕切り板によって送風ファンと蒸発器とを配置した熱交換室と圧縮機と凝縮器とを配置した機械室とに区画し、外装ケースの機械室側の前面や側面に又は機械室側の側面に取り付けられた配管カバーに、換気用の開口部として複数の水平なスリット（所謂ガラリ）が形成されている。
【先行技術文献】
【特許文献】
【０００６】
【特許文献１】特開平１１−９４２９１号公報
【発明の概要】
【発明が解決しようとする課題】
【０００７】
しかし、特許文献１の換気用開口部の構造においては、開口部を構成する複数のスリットは外部に直接晒されている構造であるので、送風ファンを駆動して外装ケース内に外気を取り込む場合に、雨水や埃などが外装ケース内に侵入し易いという問題がある。
【０００８】
このため、換気用開口部から雨水や埃などが侵入しないように、一般的に、外装ケース内には換気用開口部に対向状に仕切り板（防雨板）が配設されている。しかし、外装ケース内に防雨板や防滴部材を追加すると、製造コストが高くなるが、防雨板や防滴部材等を省略すると、上述のように外装ケース内に雨水などの侵入が増加してしまう。
【０００９】
また、特許文献１の換気用開口部のような外装ケースに形成された複数のスリットは、ケース外方に向けて切り起し形成されている場合が多く、施工時や搬送時にスリットのエッジによって作業者が怪我をする虞があり、安全性には問題がある。
【００１０】
本発明は、新たに防雨板や防滴部材等を追加せずに、防水性能の向上を図ったヒートポンプ式熱源機を提供すること、施工時や搬送時の安全性の向上を図ったヒートポンプ式熱源機を提供すること、などである。
【課題を解決するための手段】
【００１１】
請求項１のヒートポンプ式熱源機は、可燃性冷媒を使用し且つ外装ケース内に蒸発器用ファンと前記可燃性冷媒の漏洩を検知するガスセンサとを有するヒートポンプ式熱源機であって、前記ガスセンサにより前記可燃性冷媒の漏洩を検知した場合に、前記蒸発器用ファンを駆動して前記外装ケースに設けられた開口部から外気を取り込んで漏洩した前記可燃性冷媒を拡散させるヒートポンプ式熱源機において、前記外装ケースの側面に、外部からの配管が接続される配管接続部を覆う配管カバーが取り付けられ、この配管カバーの内側において、前記開口部が前記外装ケースに設けられたことを特徴としている。
【００１２】
請求項２のヒートポンプ式熱源機は、請求項１の発明において、前記開口部は、前記配管接続部よりも下方に設けられたことを特徴としている。
【００１３】
請求項３のヒートポンプ式熱源機は、請求項１又は２の発明において、前記開口部は、前記外装ケースの内方に向けて切り起された複数の切起し片を介して形成された複数の水平なスリットで構成されたことを特徴としている。
【発明の効果】
【００１４】
請求項１の発明によれば、外装ケースの側面に、外部からの配管が接続される配管接続部を覆う配管カバーが取り付けられ、この配管カバーの内側において、開口部が外装ケースに設けられたので、開口部は配管カバーによって覆われることで直接風雨に晒されない構造となる。従って、外装ケース内に雨水や埃などが進入し難い構造になるので、外装ケース内に防雨板や防滴部材等を追加することなく、防水性能を向上させることができると共にその製造コストも抑制することができる。
【００１５】
請求項２の発明によれば、開口部は、配管接続部よりも下方に設けられたので、外装ケース内に取り込まれた外気は、外装ケース内の下部近傍部を流れることになる。従って、外装ケース内の各種配管や各種機器へ外気が直接触れにくい構造となり、無駄な放熱を防止することができる。可燃性冷媒が漏洩した場合、空気の比重より重い可燃性冷媒は、外装ケース内の下部近傍部に滞留するので、取り込まれた外気により効率良く可燃性冷媒を拡散させることができる。配管カバーの内側において、仮に配管接続部からの水の漏洩や雨水の進入などにより水が滞留した場合には、この滞留した水を開口部を介して外装ケース内に流し、外装ケースの底部の排出口から外部へ排出することができる。
【００１６】
請求項３の発明によれば、開口部は、外装ケースの内方に向けて切り起された複数の切起し片を介して形成された複数の水平なスリットで構成されたので、施工時や搬送時にスリットのエッジによって作業者が怪我をする可能性を低減し、施工時や搬送時における安全性の向上を図ることができる。
【図面の簡単な説明】
【００１７】
【図１】本発明の実施例に係るヒートポンプ式熱源機を備えたヒートポンプ給湯装置の概略構成図である。
【図２】ヒートポンプ式熱源機の斜視図である。
【図３】外装ケースの前側板と配管カバーを取り外した状態のヒートポンプ式熱源機の斜視図である。
【図４】外装ケースの前側板と配管カバーを取り外した状態のヒートポンプ式熱源機の正面図である。
【図５】ヒートポンプ式熱源機の要部拡大断面図である。
【図６】図５のａ部拡大断面図である。
【発明を実施するための形態】
【００１８】
以下、本発明を実施するための形態について実施例に基づいて説明する。
【実施例】
【００１９】
先ず、ヒートポンプ給湯装置１の全体構成について説明する。
図１に示すように、ヒートポンプ給湯装置１は、温水を貯留する大容量の貯湯タンク１２を備えた貯湯タンクユニット２、ヒートポンプ回路を有するヒートポンプ式熱源機３、貯湯タンクユニット２とヒートポンプ式熱源機３との間に湯水を循環させる温水循環用配管９ａ，９ｂから構成されている。
【００２０】
次に、貯湯タンクユニット２について説明する。
図１に示すように、貯湯タンクユニット２は、縦長筒状の外周面を有する貯湯タンク１２、各種の配管６，７，８，９ａ，９ｂ，１０、主制御ユニット１１、外装ケース１４などを備えている。貯湯タンク１２は、ヒートポンプ式熱源機３で加熱された高温の温水を貯留するものであり、耐腐食性に優れたステンレス製の板材で構成されている。
【００２１】
貯湯タンク１２の下端部には、水道管などの給水管７と温水循環用配管９ａに接続される下部配管８が接続されている。給水管７には、貯湯タンク１２へ水道水を補充する為の開閉弁１５が設けられており、通常は開閉弁１５が開弁されていて、水道水を貯湯タンク１２内に補充するようになっている。
【００２２】
貯湯タンク１２から液送ポンプ１６を介して温水（貯留水）が下部配管８、温水循環用配管９ａを通りヒートポンプ式熱源機３に送られる。ヒートポンプ式熱源機３の温水加熱用熱交換器２１で加熱された温水は温水循環用配管９ｂへ流れる。
【００２３】
貯湯タンク１２の上端部には、温水循環用配管９ｂと出湯用配管６に接続される上部配管１０が接続されている。上部配管１０には開閉弁１７が設けられている。通常は開閉弁１７が開弁されていて、温水循環用配管９ｂから上部配管１０を通って戻された高温の温水（例えば、８０〜９０℃）を貯湯タンク１２内に貯留することができ、給湯時には貯湯タンク１２内の高温の温水を上部配管１０に供給することができる。
【００２４】
貯湯タンク１２の外面側を覆う保温材１３は、例えば、発泡ポリプロピレン、発泡ポリスチレンなどの樹脂を発泡成形した発泡断熱材で構成され、貯湯タンク１２の外面側を覆って貯湯タンク１２に貯留された温水の温度低下を防ぐ断熱機能を有する。
【００２５】
貯湯タンク１２には、複数の温度センサ３１〜３４が高さ方向所定間隔おきの位置に配置されている。温度センサ３１〜３４は主制御ユニット１１に接続されており、温度センサ３１〜３４の温度検出信号が主制御ユニット１１に供給される。
【００２６】
外装ケース１４は、薄鋼板製の箱状に形成され、主制御ユニット１１、貯湯タンク１２、配管類６，７，８，１０、温水循環用配管９ａ，９ｂの大部分、液送ポンプ１６、開閉弁１５，１７、混合弁２７、複数の温度センサ２８〜３０などを収容している。
【００２７】
次に、ヒートポンプ式熱源機３について説明する。
図１〜図６に示すように、ヒートポンプ式熱源機３は、蒸発器としての外気熱吸収用熱交換器１８と、圧縮機２０と、凝縮器としての温水加熱用熱交換器２１と、高圧の冷媒を急膨張させて温度と圧力を下げる膨張弁２２とを有し、これら機器１８，２０，２１，２２が冷媒配管２３を介して接続されヒートポンプ回路を構成し、冷媒配管２３に収容された冷媒を利用して給湯加熱運転を行う。
【００２８】
ヒートポンプ式熱源機３は、さらに送風モータ１９ａで駆動される蒸発器用の送風ファン１９と、主制御ユニット１１に接続され且つヒートポンプ式熱源機３を制御する補助制御ユニット２４と、可燃性冷媒の漏洩を検知可能なガスセンサ４８と、これらを収納する外装ケース２５などを備えている。
【００２９】
図２〜図６に示すように、外装ケース２５は、薄鋼板製の箱状に形成され、左右１対の側板３５，３６と、前側板３７と、後側板３８と、天板４０と、底板４１とを備えている。外装ケース２５内には、垂直な縦仕切り板４２と水平な横仕切り板４３とが設けられ、夫々が薄鋼板製のものである。
【００３０】
左右１対の側板３５，３６は、平面視にてＬ字形に夫々構成され、左右対称に設置されている。右側板３６のカバー取付部３６ａには、下側が膨出した形状の配管カバー５２が取り付けられ、この配管カバー５２により右側板３６の配管接続部５０が覆われている。尚、配管接続部５０や配管カバー５２の構成については後述する。
【００３１】
前側板３７には、外装ケース２５内の空気を排出する空気排出口としての開口部３７ａが形成され、この開口部３７ａの前面には金網状のカバー部材３７ｂが設けられている。前側板３７の内面側には空気流をガイドするベルマウス３７ｃが設けられている。送風ファン１９を駆動すると、左側板３５と後側板３８に夫々形成された大きな矩形状の開口部から外気が取り込まれ、外気熱吸収用熱交換器１８で冷媒と熱交換されて低温の空気となり、前側の開口部３７ａから外部に排出される。
【００３２】
縦仕切り板４２は、底板４１の右側約１／３部分から鉛直に立設され且つ左右１対の側板３５，３６と略平行に設けられている。縦仕切り板４２は、外装ケース２５内を外気熱吸収用熱交換器１８や送風ファン１９等が配置された左側の送風室４４と、圧縮機２０や膨張弁２２等が配置された右側の機械室４５とに区画している。縦仕切り板４２の上端側部分に、補助制御装置２４が装着されている。尚、縦仕切り板４２と底板４１との間には、機械室４５側から送風室４４側への空気流を形成する為の隙間が設けられている。
【００３３】
横仕切り板４３は、縦仕切り板４２の上側に天板４０と平行に左右方向に延びるように設けられ、横仕切り板４３は、左右両端部が左右側板３５，３６の内側面に固定され、外装ケース２５内の上端側部分を区画している。
【００３４】
送風ファン１９（蒸発器用ファンに相当する）は、送風モータ１９ａと、この送風モータ１９ａによって回動駆動される複数の羽根部材１９ｂとを有し、支持金具１９ｃを介して底板４１と横仕切り板４３とに支持されている。圧縮機２０は、気相状態の冷媒を断熱圧縮して温度上昇させる公知の密閉型圧縮機である。
【００３５】
外気熱吸収用熱交換器１８は、左側板３５と後側板３８の内面に沿うように平面視Ｌ字状に構成されている。外気熱吸収用熱交換器１８は、冷媒配管２３に含まれる蒸発器通路部１８ａを有し、この蒸発器通路部１８ａは複数のフィンを有し、この外気熱吸収用熱交換器１８において、蒸発器通路部１８ａを流れる冷媒と外気との間で熱交換され、冷媒は外気から吸熱して気化する。
【００３６】
温水加熱用熱交換器２１は、発泡ポリプロピレン、発泡ポリスチレン等の樹脂を発泡成形した発泡断熱材４９で覆われている。温水加熱用熱交換器２１は、横仕切り板４３の上面側に配置されている。発泡断熱材４９は温水加熱用熱交換器２１が効率良く熱交換する為の断熱機能を有する。
【００３７】
温水加熱用熱交換器２１は、熱交換器通路部２１ａと冷媒配管２３の一部となる内部通路２１ｂとを有する銅製の二重管で構成されている。この温水加熱用熱交換器２１において、内部通路２１ｂを流れる冷媒と温水循環用配管９ａから熱交換器通路部２１ａに供給される湯水との間で熱交換され、湯水は加熱され冷媒は冷却され液化する。
【００３８】
膨張弁２２は液相状態の冷媒を断熱膨張させ温度低下させる。この膨張弁２２は絞り量が可変な制御弁からなる。尚、膨張弁２２の代わりに絞り量が一定の膨張弁を採用しても良い。
【００３９】
冷媒配管２３は、外気熱吸収用熱交換器１８と圧縮機２０間を接続する冷媒配管２３ａ、圧縮機２０と温水加熱用熱交換器２１間を接続する冷媒配管２３ｂ、温水加熱用熱交換器２１と膨張弁２２間を接続する冷媒配管２３ｃ、膨張弁２２と外気熱吸収用熱交換器１８間を接続する冷媒配管２３ｄ等を備えている（図１参照）。
【００４０】
ガスセンサ４８は、可燃性冷媒が空気の比重より重いことを考慮して、ヒートポンプ式熱源機３の機械室４５の下部に設置されている。仮に可燃性冷媒の漏洩が発生した場合、ガスセンサ４８が漏洩した冷媒を検知し、補助制御ユニット２４に検知信号を送信して送風ファン１９を駆動した後にユーザーに報知するので、ヒートポンプ式熱源機３の安全性を確保することができる。
【００４１】
ヒートポンプ式熱源機３において、圧縮機２０により高圧に圧縮された加熱状態の可燃性冷媒は、温水加熱用熱交換器２１に送られ、液送ポンプ１６の駆動により貯湯タンク１２の下端部から下部配管８と温水循環用配管９ａを経て熱交換器通路部２１ａに流入した温水又は水と熱交換してその温水又は水を暖め、加熱された温水が温水循環用配管９ｂ、上部配管１０を通って貯湯タンクユニット２の貯湯タンク１２に貯留され、ヒートポンプ式熱源機３を経由する加熱動作を繰り返すことで貯湯タンク１２に高温の温水が貯留される。
【００４２】
主制御ユニット１１は、ユーザーが操作可能な操作リモコン３５との間でデータ通信可能であり、操作リモコン３５のスイッチ操作により目標給湯温度が設定されると、その目標給湯温度データが操作リモコン３５から主制御ユニット１１に送信される。
【００４３】
ユーザーが給湯操作を行なうと、貯湯タンク１２に貯留された温水が出湯用配管６に流れ、その温水と給水管７から供給される水道水とが混合弁２７で混合され、所定の温度となって蛇口などの給湯栓４に給湯される。混合弁２７の上流部、下流部、給水管７の途中部には、夫々、温水温度又は入水温度を検知するための温度センサ２８〜３０が設けられ、これら温度センサ２８〜３０の検出信号が主制御ユニット１１に供給されている。主制御ユニット１１は、これら温度センサ２８〜３０で検知された温度検知データに基づいて、混合弁２７を制御して温水と水の混合比を調節することで給湯する温水の温度を調整して給湯する。
【００４４】
さらに、主制御ユニット１１は、給湯加熱運転時には、目標給湯温度データ及び温度センサ３１〜３４からの温度検知データに基づいて、ヒートポンプ式熱源機３で温水を加熱する加熱温度を決定し、補助制御ユニット２４にその加熱温度を指示する。
【００４５】
補助制御ユニット２４は、主制御ユニット１１との間でデータ通信可能であり、主制御ユニット１１からの指令に従ってヒートポンプ式熱源機３の各種機器（送風モータ１９ａ、圧縮機２０など）の駆動制御を行う。温水加熱用熱交換器２１の出口側部分において、温水循環用配管９ｂには温水温度を検知するための温度センサ２６が設けられ、その検出信号が主制御ユニット１１に供給され、補助制御ユニット２４は、指令温度と温度検知データを主制御ユニット１１から受けて、温水の加熱温度が指令された温度となるように、ヒートポンプ式熱源機３を作動させる。
【００４６】
さらに、補助制御ユニット２４は、ガスセンサ４８により可燃性冷媒の漏洩を検知した場合に、ヒートポンプ給湯装置１の運転状態に関わらず、送風ファン１９を駆動して外装ケース２５内に外気を取り込むことで漏洩した可燃性冷媒を拡散させると共に、主制御ユニット１１へ可燃性冷媒漏洩報知の指令信号を送信して、報知手段により可燃性冷媒の漏洩をユーザーに報知する。
【００４７】
次に、本発明に係る開口部５１とこれを覆う配管カバー５２について説明する。
図２〜図６に示すように、外装ケース２５の右側面を構成する右側板３６に、外部からの配管が接続される配管接続部５０を覆う配管カバー５２が取り付けられ、この配管カバー５２の内側において、開口部５１が設けられている。開口部５１は、右側板３６に設けられた配管接続部５０よりも下方であって右側板３６の下端部に設けられている。
【００４８】
配管接続部５０は、右側板３６の下部に設けられ、カバー取付部３６ａの表面より僅かに外側に突出し且つ側面視にて長方形状に形成されている。配管接続部５０は、温水循環用配管９ａ，９ｂのヒートポンプ式熱源機３外の配管部分とヒートポンプ式熱源機３内の配管部分とを接続する為の１対の継手５０ａ，５０ｂを備えている。１対の継手５０ａ，５０ｂは、水抜き栓５０ｃが夫々設けられた同じ形状のものである。
【００４９】
図２，図５に示すように、配管カバー５２は、下側の配管収容部５２ａと、この配管収容部５２ａの上端から上方に延びる縦板部５２ｂと、この縦板部５２ｂの上端部に形成され且つ水平方向に突出する上端突出部５２ｃと、これらの周縁部を覆う外周フランジ部５２ｄとから一体的に形成されている。配管カバー５２は、正面視にて略ｂ字形に形成され且つ側面視にて縦長の長方形状に形成されている。配管カバー５２は、外周フランジ部５２ｄの裏面側（右側板３６側）に形成された複数の係合部が右側板３６のカバー取付部３６ａの被係合部へ係合され複数のビスを介して右側板３６に固定されている。
【００５０】
配管収容部５２ａには、１対の継手５０ａ，５０ｂが収納されている。配管収容部５２ａの後側面部には、配管挿通口５２ｅが形成され、この配管挿通口５２ｅに温水循環用配管９ａ，９ｂのヒートポンプ式熱源機３外の配管部分の端部が夫々挿通されて対応する１対の継手５０ａ，５０ｂに夫々接続されている。
【００５１】
図６に示すように、開口部５１は、機械室４５内の下部近傍部に外気を取り込む為のものであり、複数の水平なスリット５５で構成されている。複数の水平なスリット５５は、外装ケース２５の内方に向けて切り起され且つ前後方向に延びる複数の切起し片５６を介して形成されている。複数の切起し片５６は、縦方向に４つ等間隔に配置された整列状態に形成されている。各切起し片５６の自由端側は、外装ケース２５の内方であって天板４０側に向けて突出している。各切起し片５６の傾斜角度は、右側板３６に対して約３０度程度に設定されているが、この傾斜角度に限定するものではない。
【００５２】
次に、本発明に係るヒートポンプ式熱源機３の作用及び効果について説明する。
図４に示すように、送風ファン１９の駆動に伴い、外装ケース２５内に空気が取り込まれる場合、配管カバー５２の配管挿通口５２ｅを通って開口部５１（複数のスリット５５）から外装ケース２５内に流入した空気は、先ずは、機械室４５内の下部を流れ、次に、底板４１と縦仕切り板４２との間の隙間を通って送風室４４内に流れ、前側の開口部３７ａから外部に排出される。このような流路で空気が流れることで、可燃性冷媒が漏洩した場合は、外装ケース２５内の下部に滞留した可燃性冷媒を拡散して外装ケース２５の外部に排出することができる。
【００５３】
以上の説明によれば、外装ケース２５の側面（右側板３６）に、外部からの配管（温水循環用配管９ａ，９ｂ）が接続される配管接続部５０を覆う配管カバー５２が取り付けられ、この配管カバー５２の内側において、開口部５１が外装ケース２５に設けられたので、開口部５１は配管カバー５２によって覆われて直接風雨に晒されない構造となる。従って、外装ケース２５内に雨水や埃などが進入し難い構造になるので、外装ケース２５内に防雨板や防滴部材等を追加することなく、防水性能を向上させることができると共にその製造コストも抑制することができる。
【００５４】
また、開口部５１は、配管接続部５０よりも下方に設けられたので、外装ケース２５内に取り込まれた外気は外装ケース２５内の下部近傍部を流れることになる。従って、外装ケース２５内の各種配管や各種機器へ外気が直接触れにくい構造となり、無駄な放熱を防止することができる。可燃性冷媒が漏洩した場合、空気の比重より重い可燃性冷媒は、外装ケース２５内の下部近傍部に滞留するので、取り込まれた外気により効率良く可燃性冷媒を拡散させることができる。配管カバー５２の内側において、仮に配管接続部５０からの水の漏洩や雨水の進入などにより水が滞留した場合には、この滞留した水を開口部５１を介して外装ケース２５内の例えば圧縮機２０のドレン水回収用の受皿に流し、この受皿を介して外装ケース２５の底板４１（底部）に設けられた排出口から外部へ排出することができる。
【００５５】
さらに、開口部５１は、外装ケース２５の内方に向けて切り起された複数の切起し片５６を介して形成された複数の水平なスリット５５で構成されたので、施工時や搬送時にスリット５５のエッジによって作業者が怪我をする可能性を低減し、施工時や搬送時における安全性の向上を図ることができる。
【００５６】
次に、前記実施例を部分的に変更した形態について説明する。
［１］前記開口部５１を構成するスリット５５の数や配置は、上記の構成に限定するものではなく、仕様に応じて適宜変更可能である。
【００５７】
［２］前記開口部５１は、配管接続部５０よりも下方に設けられているが、この位置に限定する必要はなく、配管カバー５２の内側であれば、配管接続部５０よりも上方に設けられても良い。
【００５８】
［３］前記開口部５１は、外装ケース２５の内方に向けて切り起された複数の切起し片５６を介して形成された複数の水平なスリット５５で構成されているが、特にこのような形状に限定する必要はなく、複数の切起し片５６を省略して、例えば、複数の水平な長孔で構成されても良い。
【００５９】
［４］その他、当業者であれば、本発明の趣旨を逸脱することなく、前記実施例に種々の変更を付加した形態で実施可能であり、本発明はそのような変更形態を包含するものである。
【符号の説明】
【００６０】
３      ヒートポンプ式熱源機
１９    送風ファン（蒸発器用ファン）
２５    外装ケース
４８    ガスセンサ
５０    配管接続部
５１    開口部
５２    配管カバー
５５    スリット
５６    切起し片
【図１】
2014006016.tif 000003
【図２】
2014006016.tif 000004
【図３】
2014006016.tif 000005
【図４】
2014006016.tif 000006
【図５】
2014006016.tif 000007
【図６】
2014006016.tif 000008